【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  ネットワークを通じてマーケテイング・システムの電子商取引を促進する方法であって、該ネットワークは遠隔のクライアント・コンピュータにあるブラウザー・システムと通信することができる少なくとも１つのサーバー・コンピュータを含むものにおいて、
個人がマーケテイング・システム内に顧客、会員、又は会員プラスとして登録することができるようにクライアント・ブラウザー・システムとサーバー・コンピュータの間に対話式オンライン登録プロセスを設定し、ここで、顧客は報酬を稼ぐことはできないが製品を顧客価格で購入することができ、会員は会員価格で製品を購入することができるが会員は報酬を獲得できず、会員プラスは製品を会員プラス価格で購入することができそして販売資格レベルを満足することにより報酬を獲得でき、これによりＩＢＯとして認定され、各ＩＢＯは製品をＩＢＯ価格で購入することができ、そして報酬を獲得でき、
マーケテイング・システムと関連付けられたウェブ・サイトと動作可能に結合された複数のウェブ・ファイルを提供し、
複数のウェブ・ファイルの少なくとも１つを介して、登録された顧客、会員、会員プラス、又はＩＢＯが複数のマーケテイング・システム製品及びサービスへアクセスすることを可能にする、前記各ステップを含む方法。
【請求項２】  登録された顧客、会員、会員プラス、及びＩＢＯが、前記ショッピング・ページ・ウェブ・ファイルを介してマーケテイング・システムと関連したマーケテイング会社から直接にマーケテイング・システム製品及びサービスを購入することを可能にすることをさらに含む請求項１に記載の方法。
【請求項３】  前記可能にするステップが、顧客、会員、会員プラス、及びＩＢＯにより、前記ショッピング・ページ・ウェブ・ファイルを介して購入のために選択されたマーケテイング・システム製品及びサービスのリストを蓄積するステップをさらに含み、そのリストはサーバー・コンピュータ上に維持される請求項２に記載の方法。
【請求項４】  前記蓄積するステップが、
ショッピング・ページ・ウェブ・ファイルから購入のために選択された少なくとも１つのマーケテイング・システム製品及びサービスをサーバー・コンピュータで受取り、
サーバー・コンピュータにおいて、受取りステップにより受取られたマーケテイング・システム製品及びサービスの各々をリストに加え、この加えるステップは登録された顧客、会員、会員プラス、及びＩＢＯにより購入のために選択されたマーケテイング・システム製品及びサービスの更新されたリストを蓄積する、ことをさらに含む請求項３に記載の方法。
【請求項５】  登録された顧客、会員、会員プラス、及びＩＢＯの各々がマーケテイング・システムと関連したウェブ・サイトにアクセスする時にセッションを設定し、
登録された顧客、会員、会員プラス、及びＩＢＯの各々がマーケテイング・システムと関連したウェブ・サイトへのアクセスを終了する時にセッションを終了し、
サーバー・コンピュータにおいて、ショッピング・ページ・ウェブ・ファイルを介して購入のために選択されたマーケテイング・システム製品及びサービスのリストを登録された顧客、会員、会員プラス、及びＩＢＯがウェブ・サイトのセッションを終了した時より開始される保持期間の間、維持する、ことをさらに含む請求項４に記載の方法。
【請求項６】  複数のウェブ・ファイルの少なくとも１つが、売り手パートナー・ページ・ウェブ・ファイルである請求項１に記載の方法。
【請求項７】  複数のウェブ・ファイルの１つと関連したオンライン払戻フォームを介して登録された会員へ複数のマーケテイング・システム製品及びサービスへのオンライン・アクセスを提供し、
オンライン払戻フォームを介して登録された会員がマーケテイング・システム製品及びサービスについて報酬交換要求を提出することを可能にする、ことをさらに含む請求項１に記載の方法。
【請求項８】  複数のウェブ・ファイルの少なくとも１つがオフイス・ページ・ウェブ・ファイルであり、オフイス・ページ・ウェブ・ファイルが会員プラスとＩＢＯの各々のみによりアクセス可能である請求項１に記載の方法。
【請求項９】  第１のＩＢＯと関連したパーソナル・グループを設定することをさらに含み、パーソナル・グループは登録された顧客、会員、会員プラス、及び第２のＩＢＯからなるグループから選択された少なくとも一人の個人を含む請求項８に記載の方法。
【請求項１０】  少なくとも１つの個人を第１のＩＢＯと関連付ける識別子を生成し、
サーバー・コンピュータに識別子を記録する、ことをさらに含む請求項９に記載の方法。
【請求項１１】  複数の上昇レベルを設定し、ここで上昇レベルはマーケテイング・システム製品及びサービスの販売の関数であり、
オフイス・ページ・ウェブ・ファイルを介して対話式計算方法を提供し、ここで対話式計算方法はＩＢＯが、複数の上昇レベルの１つに到達するために必要なマーケテイング・システム製品及びサービスの販売量を決定することを可能にする、前記各ステップをさらに含む請求項９に記載の方法。
【請求項１２】  少なくとも１つの複数のウェブ・ファイルが収入選択ページ・ウェブ・ファイルであり、収入選択ページ・ウェブ・ファイルはマーケテイング・システムに関する情報を対話式に表示することを含む請求項１に記載の方法。
【請求項１３】  複数のウェブ・ファイルの少なくと１つが、会員サービス・ページ・ウェブ・ファイルである請求項１に記載の方法。
【請求項１４】  登録された顧客、会員、会員プラス、及びＩＢＯへ会員サービス・ページ・ウェブ・ファイルと関連したオンライン・フォームを提供し、
登録された顧客、会員、会員プラス、及びＩＢＯがオンライン・フォーム上に個人情報を入力することを可能にし、
サーバー・コンピュータ上に個人情報を記憶し、
個人情報に基づいて複数のウェブ・ファイルの配列をカスタマイズする、前記各ステップをさらに含む請求項１３に記載の方法。
【請求項１５】  顧客、会員、又は会員プラスをＩＢＯに割当てることをさらに含む請求項１に記載の方法。
【請求項１６】  オンライン注文状態要求フォームを提供し、この注文状態要求フォームは登録された顧客、会員、会員プラス、及びＩＢＯがマーケテイング・システム製品及びサービスの購入の状態について検査することを可能にするものである請求項２に記載の方法。
【請求項１７】  登録された顧客、会員、会員プラス、及びＩＢＯへオンライン・フォームを提供し、オンライン・フォームは登録された顧客、会員、会員プラス、及びＩＢＯがマーケテイング・システムを通じて購入した製品及びサービスの返却又は交換を可能にし、
オンライン・フォーム上に、登録された顧客、会員、会員プラス、及びＩＢＯが製品及びサービスに関する複数の情報を入力することを可能にし、
製品及びサービスに関する情報を含んだ予めフォーマットされたフォームを提供して、このフォームは登録された顧客、会員、会員プラス、及びＩＢＯが印刷でき、そして製品及びサービスと共に返却でき、
オンライン前払い郵便料金ラベルを提供し、この郵便料金ラベルは印刷でき、そして製品及びサービスを返却するために使用できる、前記各ステップをさらに含む請求項２に記載の方法。
【請求項１８】  ネットワークを通じてマーケテイング・システムの電子商取引を促進する方法であって、該ネットワークは遠隔のクライアント・コンピュータにあるブラウザー・システムと通信することができる少なくとも１つのサーバー・コンピュータを含むものにおいて、
個人がマーケテイング・システム内に顧客、会員、又は会員プラスとして登録することができるようにクライアント・ブラウザー・システムとサーバー・コンピュータの間に対話式オンライン登録プロセスを設定し、ここで、顧客は報酬を稼ぐことはできないが製品を顧客価格で購入することができ、会員は会員価格で製品を購入することができるが会員は報酬を獲得できず、会員プラスは製品を会員プラス価格で購入することができそして販売資格レベルを満足することにより報酬を獲得でき、これによりＩＢＯとして認定され、各ＩＢＯは製品をＩＢＯ価格で購入することができ、そして報酬を獲得でき、
サーバー・コンピュータ上でマーケテイング・システム製品及びサービスを含むカタログを維持し、
登録された顧客、会員、会員プラス、及びＩＢＯに対応する報酬ポイントを記憶するためにサーバー・コンピュータ上で報酬データベースを維持し、
マーケテイング・システム製品及びサービスに報酬値を割当てて、そして報酬値をカタログ内に記憶し、
マーケテイング・システム製品及びサービスに払戻値を割当てて、そして払戻値をカタログ内に記憶し、
オンライン注文フォームを介して、登録された顧客、会員、会員プラス、及びＩＢＯにカタログへのオンライン・アクセスを与え、
オンライン注文フォームを介して、登録された顧客、会員、会員プラス、及びＩＢＯがマーケテイング・システム製品及びサービスへの注文を提出することを可能にし、
オンライン払戻フォームを介して、登録された顧客、会員、会員プラス、及びＩＢＯにカタログへのオンライン・アクセスを与え、
オンライン払戻フォームを介して、登録された顧客、会員、会員プラス、及びＩＢＯがマーケテイング・システム製品及びサービスへの報酬交換要求を提出することを可能にし、
登録された顧客、会員、会員プラス、及びＩＢＯにより選択されたマーケテイング・システム製品及びサービスに対応した払戻値を報酬データベースから差し引く、前記各ステップを含む方法。
【請求項１９】  ネットワークを通じてマーケテイング・システムの電子商取引を促進する方法であって、該ネットワークは遠隔のクライアント・コンピュータにあるブラウザー・システムと通信することができる少なくとも１つのサーバー・コンピュータを含むものにおいて、
ユーザに電子商取引のためにホーム・ページ・ファイルへのオンライン・アクセスを与え、ここでユーザはマーケテイング・システム内に顧客、会員、又は会員プラスとして登録することができ、顧客は報酬を稼ぐことはできないが製品を顧客価格で購入することができ、会員は会員価格で製品を購入することができるが会員は報酬を獲得できず、会員プラスは製品を会員プラス価格で購入することができそして販売資格レベルを満足することにより報酬を獲得でき、これによりＩＢＯとして認定され、各ＩＢＯは製品をＩＢＯ価格で購入することができ、そして報酬を獲得でき、
マーケテイング・システムと関連付けられたマーケテイング会社から製品及びサービスを購入するために複数のショッピング・ウェブ・ページ・ファイルを提供し、
マーケテイング・システムと関連付けられたベンダー・パートナーから製品及びサービスを購入するために少なくとも１つの売り手パートナー・ウェブ・ページ・ファイルを提供する、前記各ステップを含む方法。
【請求項２０】  ショッピング・ページ・ウェブ・ファイル及び商人パートナー・ページ・ウェブ・ファイルから購入のために選択された製品及びサービスのリストを蓄積する方法において、
サーバー・コンピュータで購入のために選択された製品及びサービス識別子のリストを蓄積し、
サーバー・コンピュータで、ショッピング・ページ・ウェブ・ファイル及び商人パートナー・ページ・ウェブ・ファイルからなるグループから選択された少なくとも１つのウェブ・ファイルから購入のために選択された少なくとも１つの製品及びサービス識別子を受取り、
サーバー・コンピュータで、前記受取りステップにより受取られた各製品及びサービスをリストに追加し、この追加するステップは購入のために選択された製品及びサービスの更新されたリストを蓄積する、前記各ステップを含む方法。